(57)【要約】【課題】宅配や引越等の際に荷物を運ぶ作業者が、負担を軽減するために用いる新規の荷物運搬補助具を提供する。【解決手段】着用中の腰ベルト２に挟み止める挟み部３と当該挟み部３の上辺にＬ状折曲個所４を介して一体に連設された荷物載せ部５から構成され、前記挟み部３及び荷物載せ部５は、その裏面に縦・横方向のリブ６、７が設けられ、Ｌ状折曲個所４の内周にアール８が設けられることで補強され、前記挟み部３の下端個所９の裏面は、先の方に向うに従って低くなる傾斜面１０にすることで、着用中の腰ベルト２に対する挟み止め操作が容易にできるようにされ、前記荷物載せ部５の先端個所１１の上面は、先の方に向うに従って低くなる傾斜面１２にすることで、同荷物載せ部５に対する荷物を載せ易いようにされている。【選択図】図１
2005279222.tif 000002
【特許請求の範囲】
【請求項１】
腰ベルトへの止め部と、当該止め部に設けた荷物載せ部とを備えていることを特徴とする荷物運搬補助具。
【請求項２】
止め部が腰ベルトに挟み止める挟み部であることを特徴とする請求項１記載の荷物運搬補助具
【請求項３】
止め部が腰ベルトに通し止める通し部であることを特徴とする請求項１記載の荷物運搬補助具
【請求項４】
全体がプラスチック成型製であることを特徴とする請求項１、２又は３記載の荷物運搬補助具。
【請求項５】
腰ベルト部と、当該腰ベルト部に止着した止め部と、当該止め部に設けた荷物載せ部とを備えていることを特徴とする荷物運搬補助具。
【請求項６】
荷物載せ部がＬ状折曲個所を介して止め部に一体に連設されたことを特徴とする請求項１〜５のいずれか一つに記載の荷物運搬補助具。
【請求項７】
挟み部が使用者の腰周りに馴染む曲面型に形成されたことを特徴とする請求項１〜６のいずれか一つに記載の荷物運搬補助具。
【発明の詳細な説明】
【技術分野】
【０００１】  本発明は、宅配、引越等の際に作業者が荷物の持ち運び作業に用いる、簡易型の荷物運搬補助具に関する。具体的には荷物を持ち運ぶ作業者の負担を軽減するのに好適且つ有効な荷物運搬補助具に関する。
【背景技術】
【０００２】  昨今、企業間の物流に加え、テレビショッピングやインターネットによる直接販売或いは産物の産地直送販売等の手段を利用して個人が品物を購入する機会が多くなって来ている。それに伴って、宅配業者で扱う荷物の量は、急増の傾向にある。【０００３】  その上、宅配業者や引越業者が扱う個人宅へ届ける荷物の中には、かさばる大きい荷物や重たい荷物（ビール、果物、野菜、天然水、お米、家庭電化製品）などが増えている。【０００４】  特に、宅配を業務とする人は、宅配荷物を届ける際には、届け先の家の近くに車を止め、そこから宅配の荷物と伝票などを手に持って、届け先宅に歩いて届けている。【０００５】  宅配業務は、宅配業者や郵便局など、多少の違いはあるが、いずれも業務は同じである。すなわち、毎朝、運送会社や郵便局などの荷物ターミナルで、配達地域別に仕分けられたその日の荷物を車に積み、朝から夜の９時近くまで或はそれ以降の時間まで荷物を各届け先宅へ届けている。【０００６】  宅配業務は、一般的な目で見ると、「お客さまに荷物を届けるだけ」に見えるが、実際には地図に無い家、表札の無い家や不在の家が多く、何回か同じ家に同じ荷物を持って行かなくてはならないことが比較的多い。その都度、車と届け先宅を手に荷物を持った状態で何回か往復する。このため、配達作業者は作業が大変で非常に疲れる。【０００７】  また、傾向として、夜型の生活や共稼ぎの人が増え、夜の宅配を希望する時間指定も多くなって来ている。陽が短い冬季や薄暗い風雨時には、暗い路地やエレベータの無い集合住宅などの階段を昇り降りする回数も明るい普段の日よりも多くなりつつある。【０００８】  前記のような状況の場合であっても比較的状況の良い場合であっても、荷物の落下や重い荷物を守るため、両手をフルに使って届ける必要がある。この荷物で両手が塞がれた体勢での歩行は危険を伴うものであり、特に大きい荷物や、重たい荷物などは危険度が高い。また、降雨時には雨への対処のために両手が傘等で塞がれた状態になることもしばしばあった。【０００９】  また、両手を使って荷物を支えているときに、届け先宅のインターホンを押したり、ドアのノブを操作したり、不在時の不在票を書いたり、携帯電話により問い合わせをしたりする等の必要が生じた場合には、荷物を一時的に下に置かなくてはならないことが多々ある。このような場合、荷物を濡らしたり汚したりしない置き場所を容易に確保できず、難儀することが多く、時間のロスを招くことにもなるという不都合があった。【００１０】  さらに、一時的に下に置いた荷物は、インターホン等で在宅を確認したときであっても不在宅と判断したときであっても、これを再び持ち上げ直す作業が必要である。このような、下に置いたり、持ち上げ直したりする作業は、比較的頻繁に繰り返えされることであって、宅配作業者にかかる身体への負担は予想以上に大きい。このような負担は、腰や背中、腕などに集中し、腰痛や筋肉痛等を惹起する。場合によっては宅配作業者本人が想像する以上の事態になっていて大事に至ることがある。【００１１】  一方、従来、荷物を運搬する道具として、車輪が付いた台車や折りたたみができる車輪付き運搬器具（特許文献１参照）が知られて���る。しかし乍ら、これら道具は、ある程度広い移動スペースが必要であって使い難いものであり、届け先宅の敷地を通って玄関で直接荷物を手渡すには不向きである等の不都合があった。【００１２】
【特許文献１】  特開２０００−１１８４１０
【００１３】  因みに、本出願人は、腰ベルトに挟み止める挟み部等止め部と、当該止め部に設けた荷物載せ部を備えた荷物運搬補助具の先行技術を調査したが、これら荷物運搬補助具に関連する先行技術文献は、見付け出すことができなかった。
【発明の開示】
【発明が解決しようとする課題】
【００１４】  本発明は、前記したような諸問題点を一挙に解決する、簡便な新規の荷物運搬補助具を提供することを目的とする。
【課題を解決するための手段】
【００１５】  前記の目的を達成するために、請求項１に係る荷物運搬補助具にあっては、腰ベルトへの止め部と、当該止め部に設けた荷物載せ部とを備えていることを特徴とする。【００１６】  したがって、例えば、作業者が既に着用している衣服の腰ベルトに止め部を、荷物載せ部が同作業者の利き手ではない方の手と対応する位置関係にして止め、この止めた状態において前記荷物載せ部の上に荷物（箱物など）の底面の一部を載せると共に当該荷物に片手を添えて同荷物を保持する要領を行なって持ち運び体勢を整え、この体勢で持ち運びの移動を開始して目的地まで移動する。このようにすることで、軽い物は勿論、両手で持つにも大変な大きな荷物や重い荷物も苦にならずに、片手だけで持ち運ぶことができる。【００１７】  その結果、物を手で持ち運ぶ宅配作業や引越作業で、腰や腕、身体にかかる負荷を軽減でき、空いている方の手でインターホンを押したり、伝票を作成したり、歩きながら携帯電話をかけたりする等の付帯作業ができる。すなわち、このような使い方ができるので届け先宅の敷地を通り玄関で直接荷物を手渡すには、よくよく向いているものである。【００１８】  請求項２に係る荷物運搬補助具にあっては、止め部が腰ベルトに挟み止める挟み部であることを特徴とする。【００１９】  したがって、請求項２に係る荷物運搬補助具は、作業者が既に着用している衣服の腰ベルトに止めることが、当該腰ベルトに挟み部を挟み止める操作で簡単にでき、また外すことが抜き外す操作で容易にできる。【００２０】  その結果、短時間でスピーディに着脱することができ、作業時間の短縮、能率アップに好都合である。また、邪魔になるときには片手で簡単に外すことができる便利さがある。【００２１】  請求項３に係る荷物運搬補助具にあっては、止め部が腰ベルトに通し止める通し部であることを特徴とする。【００２２】  したがって、請求項３に係る荷物運搬補助具は、作業者が既に着用している腰ベルトに止めることが当該腰ベルトに通し部を通し止める操作で簡単にでき、また外すことが抜き外す操作で容易にできる。なお、前記通し止める操作は、腰ベルト全体を衣服から一旦外した状態で行なう要領が有効である。【００２３】  その結果、短時間でスピーディに着脱することができ、作業時間の短縮、能率アップに好都合である。また、ベルトに通し止める形式であるので、不用意に外れることがなく安全である。【００２４】  請求項４に係る荷物運搬補助具にあっては、全体がプラスチック成型製であることを特徴とする。【００２５】  したがって、請求項４に係る荷物運搬補助具は、量産が可能になり、安価なものを提供することが可能になる。【００２６】  請求項５に係る荷物運搬補助具にあっては、腰ベルト部と、当該腰ベルト部に止着した止め部と、当該止め部に設けた荷物載せ部とを備えていることを特徴とする。【００２７】  したがって、請求項５に係る荷物運搬補助具は、腰ベルト部を衣服の上に巻き止めて使用することができ、作業者は、既に着用している衣服の腰ベルトに対して持ち運び中の荷物からの荷重がかからない状態において使用できる。【００２８】  その結果、作業者は、合間に、衣服の乱れ特に着用している腰ベルト周りの乱れを手��に且つ簡単に整えることが可能になり、乱れを直しながら荷物の受取り者に対応して不快感を与えてしまうというような事態を少なからず回避できる。また、作業者は、既に着用している腰ベルトが持ち運び中の荷物からの荷重によってオーバーに言えば体に食い込むような痛い思いをしたり、着用中のベルトが切れて不本意な思いをしたりしないでもよくなり、作業者にとっても好適な状態で使用できる。さらには、腰ベルト部を所謂ヒップハンガースタイルで腰骨に巻き止めた状態で荷物載せ部に荷物を載せることが任意にできるので、多少重い荷物でも安定した状態で持ち運ぶことができる利点がある。この場合には、太ももの上端部分を上手に介添することが慣れればできるようになるので、より安定した状態での持ち運びが可能になり、時間当りの作業量を大幅にアップすることができる。【００２９】  請求項６に係る荷物運搬補助具にあっては、荷物載せ部がＬ状折曲個所を介して止め部に一体に連設されたことを特徴とする。【００３０】  したがって、請求項６に係る荷物運搬補助具は、荷物載せ部と止め部間の連結部分を最も簡易な手段で強くて丈夫な状態に作ることが可能である。【００３１】  請求項７に係る荷物運搬補助具にあっては、挟み部が使用者の腰周り（腰骨）に馴染む曲面型に形成されたことを特徴とする。【００３２】  したがって、請求項７に係る荷物運搬補助具は、体型に馴染んで使いやすいのみならず荷物載せ部の荷重に対する応力を効果的に得ることができる。
【発明の効果】
【００３３】  本発明に係る荷物運搬補助具は、前記のような構成であるので、使用する時だけ持ち出して使用するのでなく、いつも身体に付けておいて邪魔にならない状態で使用でき、装着していると知らずに使用しているように使い方ができる。使い方が面倒で、つい両手で運んでしまい、使用しなくなってしまうような不合理を惹起しにくいものである。万が一邪魔になるときには直ぐに取り外しておくことができる。【００３４】  しかも、本発明に係る荷物運搬補助具は、いわゆる腰で荷物を持つので長時間の宅配作業でも脊髄に負担が掛からず腰痛等の防止に役立つものである。【００３５】  さらに、本発明に係る荷物運搬補助具によれば、利き手が空くので、階段の昇り降り中などや、身体が不安定になったときでも、両手が塞がった状態で荷物を持っている場合とは異なり、利き手で危険を回避できる。【００３６】  また、本発明に係る荷物運搬補助具によれば、片手が空くので、届け先宅のインターホンでの呼び出しや雨天時の傘使用、携帯竜話の対応、暗い夜道での懐中電灯よる表札の確認等が難なくできる。大袈裟な言い方が許されるならば、本発明に係る荷物運搬補助具は、片腕が１つ増えた使い方で配達を楽に効率よく行ない得るようにするものである。
【発明を実施するための最良の形態】
【００３７】  次に、本発明に係る荷物運搬補助具の実施の形態を図面に基づいて説明する。【００３８】  図１は本発明の第１実施の形態に係る荷物運搬補助具１を示す全体の斜視図であり、図２は同じく縦断面図であり、図３は同じく正面図であり、図４は平面図である。【００３９】  この第１実施の形態に係る荷物運搬補助具１は、着用中の腰ベルト２に挟み止める挟み部３と当該挟み部３の上辺にＬ状折曲個所４を介して一体に連設された荷物載せ部５から構成されていて、全体がプラスチック製である。【００４０】  なお、本発明は、一部をプラスチック製にし他を金属にしたり、全体をステンレス等の金属製にしたり、その他の材料を用いたりすることでも実施でき、また、荷物載せ部５の上面には、滑り阻止用凹凸を設けたり、滑り止め用部材を貼付等の適宜手段で固定したりしても実施できる。【００４１】  前記挟み部３及び荷物載せ部５は、その裏面に縦・横方向のリブ６、７が設けられ、またＬ状折曲個所４の内周にアール８が設けられることで補強され、たわみ等を起さないようにされている。【００４２】  また、前記挟み部３の下端個所９の表側面は、先の方に向うに従って低くなる傾斜面１０にすることで、着用中の腰ベルト２に対する挟み止め操作が容易にできるようにされている。さらに、前記荷物載せ部５の先端個所１１の上面は、先の方に向うに従って低くなる傾斜面１２にすることで、同荷物載せ部５に対して荷物（図示せず）を載せ易いようにされている。【００４３】  なお、前記後者の傾斜面１２は、腰ベルト２に対して装着した場合には化粧面としての機能を果たして好ましい。【００４４】  また、前記挟み部３は、使用者の腰周りに馴染むように大きい曲面型１３に形成されている。この曲面型１３は、上から見たときに、図４に示すように大きな半径の円弧面を呈するようにしたり、図５に示す第２実施の形態に係る荷物運搬補助具２１のように３つに折れた折れ面２２を呈するようにしたりして実施され、前記Ｌ状折曲個所４（挟み部３）の強度を上げるのに有効に機能している。【００４５】  また、前記縦方向のリブ６は、Ｌ状折曲個所４に近くなるに従って幅を広くすることで強化されている。【００４６】  なお、図中符号１４は、使用に供さない場合に壁の釘やフック等に吊下げて置いたり、吊下げ紐等を差し通しておく等のために用いて便利な小孔を示し、また１５、１６は、例えば前記荷物載せ部５に提げ手付き荷物を吊り下げて運ぶ等の場合にズレ外れないようにするための凹み部を示し、前記荷物載せ部５を提げ手掛け止め用として使用することを可能にする部位である。このように荷物を吊り下げて運ぶための部位は、他の個所に他の方法例えば疣状突起、Ｌ型突起等を適宜設けることでも実施できる。なお、前記凹み部１５，１６は設けないことができる（図５に示す第２実施の形態に係る荷物運搬補助具参照）。【００４６】  図６は、本発明の第３実施の形態に係る荷物運搬補助具３１を示す全体の斜視図である。【００４７】  この第３実施の形態に係る荷物運搬補助具３１は、腰ベルト２を通し孔３２に通し止めて用いるように構成されているものである。その他の部分は、前記第１実施の形態に係る荷物運搬補助具１と同様に構成されているものであるので、詳細な説明は同一の符号を付して省略する。【００４８】  図７は、本発明の第４実施の形態に係る荷物運搬補助具４１を示す全体の斜視図である。【００４９】  この第４実施の形態に係る荷物運搬補助具４１は、腰ベルト部４２と、当該腰ベルト部４２に止着した止め部４３と、当該止め部４３に一体に設けた荷物載せ部４４とから構成されているものである。止め部４３及び荷物載せ部４４の構成は、前記第１実施の形態に係る荷物運搬補助具１と略同様に構成されているものであるので、その詳細な説明は省略する。なお、止め部４３は、腰ベルト部４２に対して止め鋲４５により固定されているが、このように固定しないで腰ベルト部４２に沿ってスライド可能に止着し、よって使用者が任意に最適な位置に替えて利用できるようにすることもある。
【図面の簡単な説明】
【００５０】
【図１】第１実施の形態を示す斜視図である。
【図２】同じく縦断面図である。
【図３】同じく正面図である。
【図４】同じく平面図である。
【図５】第２実施の形態を示す平面図である。
【図６】第３実施の形態を示す斜視図である。
【図７】第４実施の形態を示す斜視図である。
【符号の説明】
【００５１】  １  実施の形態に係る荷物運搬補助具
２  腰ベルト
３  挟み部
４  Ｌ状折曲個所
５  荷物載せ部
６  リブ
７  リブ
８  アール
９  下端個所
１０  傾斜面
１１  先端個所
１２  傾斜面
１３  曲面型
１４  小孔
１５、１６  提げ手掛け止め用凹み部
２１  第２実施の形態に係る荷物運搬補助具
２２  折れ面
３１  第３実施の形態に係る荷物運搬補助具
３２  通し孔
４１  第４実施の形態に係る荷物運搬補助具
４２  腰ベルト部
４３  止め部
４４  荷物載せ部
４５  止め鋲
【図１】
2005279222.tif 000003
【図２】
2005279222.tif 000004
【図３】
2005279222.tif 000005
【図４】
2005279222.tif 000006
【図５】
2005279222.tif 000007
【図６】
2005279222.tif 000008
【図７】
2005279222.tif 000009